(57)【要約】【課題】本発明は、使用者が水栓を使用する際に、手動もしくは自動の操作部を使い分けることができ、それぞれの操作部を用いた場合でも、使用者へ水が飛散しない吐水を供給可能な水栓装置を提供すること。【解決手段】吐水口と、前記吐水口から吐水される水の吐止水、流量及び温度を調整する流温調調整部と、を有する水栓本体と、前記吐水口から吐水された水を受ける受水槽と、前記流温調調整部に水を導入する給水管と、前記流温調調整部に湯を導入する給湯管と、を有する水栓装置であって、前記吐水口と前記流温調調整部を接続管により接続し、前記給水管と、前記接続管をバイパス管により接続し、前記バイパス管には検知情報に基づいて開閉する電磁弁を設け、前記接続管と前記バイパス管との結合部よりも下流側の接続管に、一定流量以下の水を通過させる定流量手段を設けたことを特徴とする水栓装置。 【選択図】    図１
2010168840.tif 000002
【特許請求の範囲】
【請求項１】
吐水口と、前記吐水口から吐水される水の吐止水、流量及び温度を調整する流温調調整部と、を有する水栓本体と、
前記吐水口から吐水された水を受ける受水槽と、
前記流温調調整部に水を導入する給水管と、
前記流温調調整部に湯を導入する給湯管と、
を有する水栓装置であって、
前記吐水口と前記流温調調整部を接続管により接続し、
前記給水管と、前記接続管をバイパス管により接続し、
前記バイパス管には検知情報に基づいて開閉する電磁弁を設け、
前記接続管と前記バイパス管との結合部よりも下流側の接続管に、一定流量以下の水を通過させる定流量手段を設けたことを特徴とする水栓装置。
【請求項２】
吐水口と、前記吐水口から吐水される水の吐止水、流量及び温度を調整する流温調調整部と、を有する水栓本体と、
前記吐水口から吐水された水を受ける受水槽と、
前記流温調調整部に水を導入する給水管と、
前記流温調調整部に湯を導入する給湯管と、
を有する水栓装置であって、
前記吐水口と前記流温調調整部を接続管により接続し、
前記給水管と、前記接続管をバイパス管により接続し、
前記バイパス管には検知情報に基づいて開閉する電磁弁を設け、
前記接続管と前記バイパス管との結合部よりも上流側の接続管と、
前記バイパス管のそれぞれに、一定流量以下の水を通過させる定流量手段を設けたことを特徴とする水栓装置。
【請求項３】
前記接続管と前記バイパス管との結合部よりも上流側の接続管と、
前記バイパス管のそれぞれに設けられた前記定流量手段は、同一の流量以下の水を通過させることを特徴とする請求項２記載の水栓装置
【請求項４】
前記流温調調整部と、前記電磁弁の両方が開状態になった時に、前記電磁弁を閉状態にして止水させる制御部を備えた事を特徴とする請求項１乃至３のいずれか１項に記載の水栓装置。
【請求項５】
前記結合部近傍の配管経路中に上流側への逆流を防ぐ逆流防止手段を設けたことを特徴とする請求項１乃至４のいずれか１項に記載の水栓装置。
【発明の詳細な説明】
【技術分野】
【０００１】
本発明は、洗面台もしくは流し台等に取り付けられ、手動及び自動何れでも操作可能な水栓装置に関する。
【背景技術】
【０００２】
従来、吐水口を有する水栓装置において、使用者の使い勝手を向上させるために、スパ
ウトの形状や操作部の工夫によって、使用者の使用感を高める水栓装置があった。
【０００３】
また、使用者がいる方向に吐水口からの吐水を向けるために、スパウトを使用者側に突
出させ、且つ上下方向に傾ける水栓装置があった（例えば、特許文献１参照）。
【０００４】
また、水栓に可動部を複数個設け、可動部の可動範囲内で水栓の高さや水平面に対する
突出量を調整可能な水栓装置があった（例えば、特許文献２参照）。
【０００５】
また、使用者の操作性を向上させるために、手動及び自動何れでも操作可能とし、利用状況によって操作部の使い分けが可能な水栓装置があった（例えば、特許文献３参照）。
【特許文献１】特開２００２−２６６３９６号
【特許文献２】特開２０００−１４４８３２号
【特許文献３】特開２００２−１４６８６８号
【発明の開示】
【発明が解決しようとする課題】
【０００６】
しかしながら、特許文献１のように、使用者側に対して吐水口を突出させた場合には、供給可能な水量や水圧によっては、吐水口から出た水が受水槽から飛び出す、受水槽側壁に衝突して水跳ねが発生する等の不具合が起こる可能性があった。
【０００７】
また、特許文献２のように、可動部を設けて水栓装置の高さや水平方向に対する突出量
が変化すると、水栓装置の形状によって吐水の軌跡が変化してしまい、特に吐水の方向が略水平方向に向かってしまった場合、吐水口から出た水が受水槽から飛び出す可能性が高くなり、受水槽外を濡らしてしまう可能性があった。
【０００８】
また、特許文献３のように手動及び自動の何れでも操作させるためにバイパス管を用いた場合、各々の操作部の配管経路が異なることで、操作部を使い分けた場合に流量が異なり、使用者へ水が飛散する可能性があった。また、手動で操作レバーを開状態にし洗浄動作を行っていて、検知部に身体が近づいて電磁弁も開状態になってしまった時のように同時にバルブが開状態になった場合、２つの流路から吐水口に水が流れてしまい、使用者が予期しない流量が供給される為、洗浄しづらさや、水跳ねにより受水槽外へ水が飛散する可能性があった。
【０００９】
そこで、本発明においては、手動及び自動何れでも操作可能とし、利用状況によって操作部の使い分けが可能な水栓装置において、操作部の使い分けを行い、異なる配管から吐水が供給された場合や、手動及び自動の操作部両者が開状態になった場合でも吐水が使用者や周辺に飛散しないように吐水流量の一定量以上の供給を抑制することが可能な水栓装置を提供することを目的としている。
【課題を解決するための手段】
【００１０】
前記目的達成のために、吐水口と、前記吐水口から吐水される水の吐止水、流量及び温度を調整する流温調調整部と、を有する水栓本体と、
前記吐水口から吐水された水を受ける受水槽と、
前記流温調調整部に水を導入する給水管と、
前記流温調調整部に湯を導入する給湯管と、
を有する水栓装置であって、
前記吐水口と前記流温調調整部を接続管により接続し、
前記給水管と、前記接続管をバイパス管により接続し、
前記バイパス管には検知情報に基づいて開閉する電磁弁を設け、
前記接続管と前記バイパス管との結合部よりも下流側の接続管に、一定流量以下の水を通過させる定流量手段を設けたことを特徴とする水栓装置を提供出来る。
【００１１】
また、本発明の一態様によれば、吐水口と、前記吐水口から吐水される水の吐止水、流量及び温度を調整する流温調調整部と、を有する水栓本体と、
前記吐水口から吐水された水を受ける受水槽と、
前記流温調調整部に水を導入する給水管と、
前記流温調調整部に湯を導入する給湯管と、
を有する水栓装置であって、
前記吐水口と前記流温調調整部を接続管により接続し、
前記給水管と、前記接続管をバイパス管により接続し、
前記バイパス管には検知情報に基づいて開閉する電磁弁を設け、
前記接続管と前記バイパス管との結合部よりも上流側の接続管と、
前記バイパス管のそれぞれに、一定流量以下の水を通過させる定流量手段を設けられたことを特徴とする水栓装置を提供出来る。
【００１２】
また、本発明の一態様によれば、前記接続管と前記バイパス管との結合部よりも上流側の接続管と、
前記バイパス管のそれぞれに設けられた前記定流量手段は、同一の流量以下の水を通過させることを特徴とする水栓装置を提供することが出来る。
【００１３】
また、本発明の一態様によれば、前記流温調調整部と、前記電磁弁の両方が開状態になった時に、前記電磁弁を閉状態にして止水させる制御部を備えた事を特徴とする水栓装置を提供することが出来る。
【００１４】
また、本発明の一態様によれば、前記結合部近傍の配管経路中に上流側への逆流を防ぐ逆流防止手段を設けたことを特徴とする水栓装置を提供することが出来る。
【発明の効果】
【００１５】
本発明によれば、手動及び自動何れでも操作可能とし、利用状況によって操作部の使い分けが可能な水栓装置において、操作部の使い分けによって生じる、異なる配管から吐水が供給される場合に発生する可能性のある受水槽外への水の飛び出しや、水跳ねによる周辺への飛散等の不具合に対して、所定の流量以下の吐水を供給可能な流量調整手段を手動及び自動で操作させる操作部より下流側の配管経路中に設置することにより、どちらの操作においても、受水槽からの吐水の飛び出しや、水跳ねによる周辺への飛散を抑制し、使用者に吐水を供給することが可能となる。また、水栓装置の設置場所による環境の違い（たとえば水圧の違い等）が発生した場合においても、所定の流量以下の吐水を供給可能な流量調整手段を手動及び自動で操作させる操作部より下流側の配管経路中に設置することにより、受水槽からの吐水の飛び出しや、水跳ねによる周辺への飛散を抑制し、使用者に吐水を供給することが可能となる。
【発明を実施するための最良の形態】
【００１６】
以下、発明の実施の形態を、図面を参照して説明する。
図１に本発明の水栓装置をシステムキッチンに設置した概略構成図を記載する。本発明の水栓装置は、吐水口１と、前記吐水口から吐水される水の吐止水、流量及び温度を調整する流温調調整部１７と、を有する水栓本体５０と、前記吐水口から吐水された水を受ける受水槽１５と、前記流温調調整部１７に水を導入する給水管３０と、前記流温調調整部１７に湯を導入する給湯管３１と、を有する水栓装置であって、前記吐水口１と前記流温調調整部１７を接続管３２により接続し、前記給水管３０と、前記接続管３２をバイパス管３３により接続し、前記バイパス管３３には検知情報に基づいて開閉する電磁弁２８を設け、前記接続管３２と前記バイパス管３３との結合部３４よりも上流側の接続管３２と、前記バイパス管３３のそれぞれに、一定流量以下の水を通過させる定流量手段１６を設けた構成になっている。このような配管構成とすることにより、手動で流量及び温度が調整可能な吐水を供給でき、且つ電磁弁で一定流量な吐水を供給することが可能であり、作業内容によって操作系を使い分けることができる。
【００１７】
図２に本発明の水栓装置における水栓本体の側面視及び配管構成を記載する。本発明の水栓装置の吐水部１４は側面視において、整流吐水口５とシャワー吐水口６から構成される吐水口１が、鉛直方向よりも水平方向に対して傾斜して設置されている。つまり水平方向に対してベクトルを多く持つように吐水口が設置されている。このように吐水口を傾斜して設置すると、吐水口１からの吐水が、水平方向のベクトルを多く持った状態で放出されるため、吐水部１４を受水槽１５に大きく突き出すような構成にすることなく、利用者が届きやすい位置に吐水を供給することが可能となる。また、この構成によって受水槽１５の開口方向にスパウトが突出していないため受水槽１５の上方に対して空間が広くなるので、例えばキッチンでは中華鍋やパスタ鍋等の大きな調理器具を洗うときに、調理器具を回転させても吐水部１４や吐水口１に調理器具がぶつかりづらくなり、回転させるたびに吐水部１４を動かす動作を低減することが可能となる。また、洗面台では顔を洗う時に吐水部１４が頭にぶつかる等の不具合を低減することが可能となるため、吐水部１４を気にせずに洗浄動作ができるだけでなく、受水槽１５の上方に対する空間を確保することにより吐水部１４が視界に入りづらくなるため、洗浄作業中における視野の確保により作業を円滑に行うことができる。  
【００１８】
一方、このように吐水口１を鉛直方向よりも水平方向に対して傾斜して設置すると、吐水口１から放出される洗浄水は、水平方向に対してのベクトルを持って吐水されるため、例えば、手動で吐水の流量を制御する流温調調整部１７により、流量が多くなるように操作した場合には、吐水が受水槽１５の外側へ飛散したり、受水槽１５側壁に衝突することによって水跳ねが発生したりする可能性がある。また、例えば、検知手段１９により吐止水を制御する電磁弁１８を用いた一定流量の吐水を行う場合、水栓装置が設置される環境によっては配管にかかる水圧が高い場所もあるため、吐水口１より吐出される洗浄水の飛距離が増大し、受水槽１５の外側へ飛散したり、受水槽１５の側壁に衝突することによる水跳ねの発生が起こる可能性がある。更に受水槽１５の前に立って作業を行う人にとっては、受水槽１５外への水の飛散は、身体を濡らす原因となり、心理的にも作業しづらい可能性がある。そこで、本発明においては、接続管３２もしくはバイパス管３３の配管経路中に、所定の流量以下の水を通過させる定流量手段１６を設けたことで、水栓装置の設置場所による環境や、各操作での吐水の供給においても洗浄水の飛散や水跳ねが発生しない水栓装置を提供することが可能となる。
【００１９】
次に、本発明の水栓装置における配管構成について詳細を記載する。図２に示すように、本発明は、吐止水、及び流温調の制御が可能な流温調調整部１７と吐止水の制御が可能な電磁弁１８といった操作を２系統持った配管構成であり、電磁弁１８を有するバイパス管３３が給水管３０から分岐し、流温調調整部１７と吐水口１をつなぐ接続管３２に連結部３４にて接続された配管構成を備えている。以下に流温調調整部１７での配管経路、電磁弁の配管経路についてそれぞれ詳細に説明する。
【００２０】
はじめに、流温調調整部１７での配管経路について記載する。この配管経路では、給水管３０と給湯管３１が接続され、吐止水操作、流量及び温度を調整する流温調調整部１７と、吐水部１４に設けられた吐水口１、つまり整流吐水を行う整流吐水口５と、シャワー吐水を行うシャワー吐水口６とを接続管３２を用いて接続し、流温調調整部１７から供給される洗浄水をどちらかの吐水口１から吐出する形態になっている。ここで、整流吐水かシャワー吐水かを選択するものとして、吐水部１４内部に切替弁２０を備えている。切替弁２０は流温調調整部１７と吐水口１を繋ぐ接続管３２の配管経路中に設置され、整流吐水口５とシャワー吐水口６とに接続される配管のどちらかに洗浄水を供給するものである。切替弁２０は、例えば一方の流路を塞ぎ、もう一方の流路を開放することにより洗浄水を切り替える構成や、２つの流路に電磁弁をそれぞれ設け、一方の電磁弁を閉状態にし、もう一方を開状態とする構成がある。なお、本実施例での切替弁２０は吐水部１４の下方に設置されているが、スパウト本体のサイズによっては、吐水口近傍やスパウト本体以外の配管経路中に設置しても同様の効果を得ることが可能である。
【００２１】
更に、流温調調整部１７と吐水口１を繋ぐ接続管３２の配管経路中には、連結部３４と流温調調整部１７の間に、一定流量以下の洗浄水のみを通過させる定流量手段１６を設けている。これにより、流温調調整部１７にて不意に多くの流量を吐水口１に供給するような操作を行った場合においても、定流量手段１６によって吐水口への供給流量を一定流量以下に制限するため、鉛直方向よりも水平方向に対して傾斜して設置された吐水口１から吐水される水が、受水槽１５の外側へ飛散することや、受水槽１５側壁への衝突による水跳ね等を抑制することが可能となる。また、吐水口１が傾斜して設置されていない場合でも、突然の給水によって受水槽１５側壁だけでなく底面へ着水した水による受水槽１５外への水跳ねをも防止することが可能である。したがって、使用者への水の飛散を防止し、また受水槽１５外への吐水の飛び出しによる床等の周辺設備へ飛散を軽減させることが可能となる。
【００２２】
なお流温調調整部１７を介する配管経路においては、接続管３２の配管中に定流量手段１６を設けることが望ましい。なぜなら、流温調調整部１７よりも上流に定流量手段１６を設けてしまうと、給水管３０及び給湯管３１それぞれに定流量手段１６を設けなければならず、本発明の水栓装置を設置する設置条件による給水圧、もしくは給湯器の給湯能力が低い場合には、水栓装置に適する流量を吐出させようとしても、定流量手段１６が圧力損失の原因となってしまい、吐水口１から吐水される水量が低減してしまう。よって、着水位置が使用者から遠くなってしまい、使用者が手を伸ばしたり、身体を前傾させなければならない可能性がある。また、給水管３０と給湯管３１それぞれに定流量手段１６を設けてしまうと、温度を調整した場合に吐水される流量が変わり、適正流量以上もしくは以下の流量が吐水口１から吐出され、受水槽１５外への水の飛散や着水位置が遠くなる可能性がある。更に流温調調整部１７よりも下流に定流量手段１６を設ければ、定流量手段１６の数を低減でき、配管構成を簡易にしコスト軽減にも役立つ。
【００２３】
次に、流温調調整部１７と並列に設置され、電磁弁１８により吐止水を制御する配管構成について示す。電磁弁１８は、検知手段１９、例えばセンサやスイッチからの電気信号である開閉信号に応じて開閉動作を行うものである。特に非接触で被検知体を検出可能なセンサを設置すれば、洗浄前の汚れた手でも非接触で操作可能なため、操作部を汚すことなく容易に吐止水操作を行なうことが可能となる。また、電磁弁１８は、開閉信号による弁の開動作／閉動作を行うため、検知手段１９を用いた吐水を行う場合には、一定流量の吐水を供給するか否かの制御になる。ここで、本発明の水栓装置が設置される場所によっては配管にかかる水圧が異なることがあるため、バイパス管３３を通過して供給される吐水は、設置場所毎に供給流量が異なり、特に水圧が高い場合においては、吐水口１から吐出される洗浄水量は多くなるため、受水槽１５外側への飛散や、受水槽１５側壁に衝突した際の水跳ねが発生する可能性がある。そこで、本発明においては、水栓装置の設置環境に依存した不具合（水跳ね等）を解消するために、バイパス管３３の配管経路上に定流量手段１６を有する構成としている。これにより、水栓装置が設置される環境に応じた水圧による流量の増大を防ぐことが可能となるため、受水槽１５外側への飛散や、受水槽１５側壁に衝突した際に発生する水跳ね等を抑制することが可能となる。更に、電磁弁１８を用いた吐水は一定流量吐水のため、使用者が使いやすい場所に吐水の軌跡を描くようにすることが可能であるが、更に定流量手段１６を設けることにより、水圧の変動に対しても一定の流量にすることが可能となるため、使用者が使いやすい場所に吐水の軌跡を描き、使用者の負荷を低減した洗浄ポイントを提供することが可能となる。
【００２４】
図３に配管構成の第二の実施例を示す。本実施例では、バイパス管３３と接続管３２の結合部３４よりも下流、つまり結合部３４と吐水口１の間の配管経路中に定流量手段１６を設けた構成となっている。このように配置すれば、定流量手段１６の数を低減でき、配管構成を簡易にすることが可能となる。また、流温調調整部１７と電磁弁１８の両者が開状態になってしまった場合においても、結合部３４よりも下流に定流量手段１６があることで使用者が予期していない流量が突然供給されることがなく、受水槽１５外側へ飛散する、もしくは受水槽１５側壁に衝突して水跳ねが発生する等の不具合を解消することも可能となる。また、使用者が流温調調整部１７と電磁弁１８それぞれの操作系を使い分けた場合でも同じ洗浄ポイントで洗浄動作が行えるため、作業位置が安定し、使用者の作業を円滑に行うことが可能となる。
【００２５】
このように流温調調整部１７と電磁弁１８を並列に設けることで、例えば、検知手段１９をカウンタ２近傍に設け、カウンタ作業で短時間の洗浄を行う場合や、手の汚れている場合などには検知手段１９で操作を行い一定流量の吐水の供給を行い、受水槽１５内部で被洗浄体を念入りに洗浄する作業の場合や、水の温度や流量を変えて作業を行いたい場合には、受水槽１５の後縁４に設けられた流温調調整部１７で吐止水、流温調を制御する操作を行うように、使用者のいる場所や作業に応じて異なる位置に搭載した操作部を使い分けて、吐止水の制御を行うことにより作業効率を高めるだけでなく、作業の全てを流量調整できる操作部を使わずに、一定流量の吐水を組み合わせて使うことで節水効果を得ることが可能となる。
【００２６】
図４に電磁弁１８を制御する制御部４０に関わる概略構成図を記載する。図４（Ａ）は検知部１９にて操作した場合における電磁弁の制御について示したものである。図４（Ａ）に示すように、センサやスイッチ等の検知手段１９を操作することで検知部１９は被検知体を検出し、検知信号を制御部４０に送信する。制御部４０は、検知部１９からの検知信号に基づき電磁弁１８に対しての吐止水制御を行うための開閉信号を送信するものである。しかし、本発明では２つの操作系、つまり流温調調整部１７と電磁弁１８を並列に設置していることで、両方の操作系が開状態となってしまう可能性がある。その場合、片側の操作系を閉状態にしても、吐水口１から出ている水が止水できず、使用者に迷いを生じさせる可能性がある。そこで、図４（Ｂ）のように、流温調調整部１７と電磁弁１８には、操作系が開状態になったことを報知する開信号を制御部４０に送信する手段を有しており、制御部４０に2つの操作系からの開信号が送信された場合には、制御部４０は電磁弁１８に対して閉信号を送信し、電磁弁１８を閉状態にし、２流路から結合部３４に同時に水が流れてしまうことを防止することが可能としている。これによって、2つの操作系が同時に開くことを防止することが可能となるため、２つの流路から一度に水が流れ込むことがなく、流量が増加した状態で吐水を行うことを抑制することが可能となるため、使用者が２つの操作系の一方を止めるための操作を無くすことが可能となる。なお、制御部４０に対して開信号を送信する手段としては、例えば流温調調整部１７においては、操作部がレバーの可動によって制御される構成の場合には、可動部であるレバーに磁石や導電物質を搭載し、レバー開状態の場合に磁力の有無、通電の可否を検出する手段を搭載することで、手動で操作する操作部の開閉状態を判断することが可能となり、前記判断を基に制御部に通信を行うことで操作部の開閉を制御部４０で認識することが可能となる。また、電磁弁１８に関しては、制御部にて開閉信号を送信しているため、制御部４０から電磁弁１８に対して開信号を送信したか否かを確認することにより電磁弁１８の開閉状態を把握することが可能となる。上記以外にも流温調調整部１７、及び電磁弁１８の開閉状態を確認する手段はあるが、流温調調整部１７及び電磁弁１８の開閉状態を制御部４０が確認可能な構成にすることにより、2つの操作系が開状態になることを防止することが可能であることは言うまでも無い。
【００２７】
更に、本発明において接続管３２とバイパス管３３の結合部３４に給水配管の上流側への逆流を防ぐ図示しない逆流防止手段を設けている。これは電磁弁１８を設けたバイパス管３３は給水管３０からの分岐であるため、配管経路内を水しか流れないが、流温調調整部１７から接続管３２を介して結合部３４へ通水される場合、流温調調整部１７の操作状況によっては湯水が混合しており、結合部３４で上流側への逆流が生じてしまうと、両者が混ざり合ってしまう可能性がある。また、電磁弁１８は、逆側から水圧がかかると内部に設置されたダイヤフラムが浮いてしまい、逆流する構造となっている場合もあり、電磁弁が開状態のままになってしまう可能性があるため、流温調調整部１７で吐水を行った場合、所定の流量を吐水口１から放出できない可能性があるが、結合部３４に逆流防止手段を設ければ、その心配がない。
【００２８】
なお、本発明の配管構成では、バイパス管３３は給水管３０から分岐させている。これは、給湯管３１から分岐させることも可能であるが、電磁弁１８を開状態にした直後には、すぐには湯を供給することが困難であり、例えば手の簡単な汚れを洗い流したい時など数秒の短時間洗浄が行われる場合にも、吐水口１からは水しか出ないのにも関わらず給湯器を起動させてしまい、無駄な電力消費が発生させてしまう。そこで、本実施例のように給水管３０から分岐させた配管構成にすることで、検知部１９を操作する短時間での洗浄時においては無駄な着火を抑制することでの省エネ効果を得ることが可能となる。さらに一定流量の吐水を放出させる電磁弁１８を介した配管であるため、洗浄に適した流量の吐水を供給可能なため無駄な水も生じにくく節水効果も得ることが可能となる。
【００２９】
本発明は、吐水口が鉛直方向よりも水平方向に対して傾斜してスパウト本体に設置されることで、吐水が斜めに放出されるため、受水槽の上方における洗浄する空間が広がり、水栓装置を用いた作業を円滑に行える。ここで、図５に本発明の水栓装置の吐水部形状について一例を記載する。図５（Ａ）においては、整流吐水口５から吐出される吐水の方向が、吐水部１４の吐水口１設置面と略直交となるように吐水する形態について記載している。このように吐水口１を設置すると、吐水口１からの吐出方向８は水平方向と鉛直方向のベクトルを持った状態で吐水が可能となるため、斜め下方に略直線方向に吐水することが可能となる。これにより、本発明の水栓装置を使用者に対峙する場所に設置した場合、使用者に向かうように吐水が行われるため、水平方向に対する突出量が小さな吐水部１４においても、使用者の方向に対して吐水を供給することが可能となる。よって、吐水部１４近傍の受水槽１５の作業空間内に、吐水部１４を存在させることなく、広い作業空間を確保しながら使用者が使用しやすい場所に吐水を供給することが可能となるため、使用者が手を伸ばす等の身体への負荷無く吐水を使用することが可能となる。なお、吐水口１が吐水部１４に設置された面に対して略直交方向に吐水を行うためには、例えば整流吐水口５を吐水口１が吐水部１４に設置された面に対して略平行に設置する方法がある。この方法であれば、整流吐水口５の開口面も主面と略平行になるため、整流吐水口５から吐出する吐水に対して、整流吐水口５の一部が抵抗となって吐水が減速することなく吐水が可能であるため、吐水が乱れたり、失速することなく使用者側に供給することが可能となる。
【００３０】
また、図５（Ｂ）においては、整流吐水口５から吐出される吐水の方向が水平面に対
して略平行となるように吐水する形態について記載している。水平面に対して略平行に吐
水を行うと水平方向のベクトルを持って吐水を行うことが可能となるため、例えばスパウ
ト本体１４を使用者と対峙するように設置した場合、吐水が使用者方向に吐水される。そのため吐水部１４の水平面に対し平行な方向の長さは小さいが、使用者が容易に吐水に触れることが可能な程度まで飛距離を持って吐水を行うことが可能となるため、作業スペースを広く確保することが可能となり、吐水を用いた作業を行う際に吐水部１４を気にせずに容易に作業を行うことが可能となる。また、水平方向のベクトルのみを持った吐水は、重力による自然落下により鉛直方向のベクトルを持つことになるので、使用者に吐水がかかるような吐水形態を避けることが可能となる。但し、水栓装置を設置する場所によっては、水圧が高い場所もあるため、吐水部１４までの流路上に定流量手段１６を設けることにより、更に使用者に対して吐水がかかる等の不具合を解消することが可能となる。
【００３１】
また、図５（Ｃ）に整流吐水口５から吐出される吐水の方向が、斜め上方に対して吐
水する形態について記載している。この方式で吐水を吐出する場合には、吐水は放物線を
描いて落下するような軌跡で供給されることになる。斜め上方への吐水のため、水平方向
に対するベクトルを持っているため、吐水部１４の水平面に対する突出量が少なくとも吐水部１４と対峙する方向への吐水が可能となるため、例えば、吐水部１４を使用者と対峙するように設置した場合においても、使用者の近傍に吐水を供給することが可能となるため、使用者が手を伸ばす等の身体への負荷無く吐水を使用することが可能となる。また、放物線上に吐水を供給するため、吐水を演出として使用することが可能であるため、例えば公共施設で、エンターテイメントを必要とする場所においては、演出も可能となるため最適である。
【００３２】
以上の構成により、吐水部１４の吐水部３を鉛直方向よりも水平方向に対して傾斜して設置することにより、吐水部１４の水平面に対し平行な方向の長さを低減することが可能となるため、視界や操作範囲内に吐水部１４が存在しないことより、水栓装置を使用する際に洗い動作等を行う作業スペースを広く確保することが出来る。また、吐水部３から吐出される洗浄水に関しても、設置場所に応じて吐水口１の形態を変化させることにより、使用者が大きく手を伸ばす等の身体の負荷をかけずに、使用者の近傍に吐水を供給することが可能となる。なお、本発明の実施形態においては吐水口１を設置している吐水部１４の設置面を傾斜させているが、設置面は傾斜しておらず、吐水口１のみ傾斜しているものでも同様の効果を生じさせる。
【００３３】
以上、本発明の実施の形態について説明した。上記のような構成により、手動及び自動何れでも操作可能とし、利用状況によって操作部の使い分けが可能な水栓装置において、操作部の使い分けによって生じる、異なる配管から吐水が供給される場合に発生する可能性のある受水槽外への水の飛び出しや、水跳ねによる周辺への飛散等の不具合に対して、所定の流量以下の吐水を供給可能な流量調整手段を手動及び自動で操作させる操作部より下流側の配管経路中に設置することにより、どちらの操作においても、受水槽からの吐水の飛び出しや、水跳ねによる周辺への飛散を抑制し、使用者に吐水を供給することが可能となる。また、水栓装置の設置場所による環境の違い（たとえば水圧の違い等）が発生した場合においても、所定の流量以下の吐水を供給可能な流量調整手段を手動及び自動で操作させる操作部より下流側の配管経路中に設置することにより、受水槽からの吐水の飛び出しや、水跳ねによる周辺への飛散を抑制し、使用者に吐水を供給することが可能となる。
【００３４】
しかし、本発明はこれらの記述に限定されるものではない。前述の実施の形態に関して、当事者が適宜設計変更を加えたものも、本発明の特徴を備えている限り、本発明の範囲に包含される。
例えば、水栓装置を備えるものはシステムキッチンだけでなく、洗面台や作業台でも良く、各要素の形状、寸法、材質、配置、数などや水栓装置の設置形態などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００３５】
【図１】本発明の水栓装置を備えたシステムキッチンの概略構成図
【図２】本発明の水栓装置の側面図及び配管構成図
【図３】本発明の水栓装置の第二実施例の側面図及び配管構成図
【図４】本発明の制御部に関わる概略構成図
【図５】本発明の水栓装置の吐水部の形状図
【符号の説明】
【００３６】
１…吐水口、２…カウンタ、５…整流吐水口、６…シャワー吐水口、８…吐水口からの吐出方向、１４…吐水部、１５…受水槽、１６…定流量手段、１７…流温調調整部、１８…電磁弁、１９…検知手段、２０…切替弁、３０…給水管、３１…給湯管、３２…接続管、３３…バイパス管、３４…結合部、４０…制御部、５０…水栓本体
【図１】
2010168840.tif 000003
【図２】
2010168840.tif 000004
【図３】
2010168840.tif 000005
【図４】
2010168840.tif 000006
【図５】
2010168840.tif 000007